(57)【要約】【課題】ソケットコンタクトがソケットハウジングの正常位置に配置されていない状態を、簡便に検出できるソケットハウジングを提供する。【解決手段】ソケットコネクタ２は、ソケットコネクタ２とベースコネクタ３とが組み合わされた組み合わせ状態においてベースハウジング６０と組み合わせられるソケットハウジング１０と、組み合わせ状態においてベースコンタクト８０と電気的に接続される複数のソケットコンタクト５０と、複数のソケットコンタクト５０にそれぞれ接続される複数のケーブル５と、を備える。ソケットハウジング１０は、ケーブル５が接続されたソケットコンタクト５０が配置されるソケットコンタクト配置部２０を備え、ソケットコンタクト配置部２０は、ケーブル５が接続されたソケットコンタクト５０がソケットコンタクト配置部２０の正常位置に配置しているか否かを視認するための視認用窓２５ａ，２５ｂを備える。【選択図】図１０
2014209437.tif 000002
【特許請求の範囲】
【請求項１】
ベースハウジング及びベースコンタクトを備えるベースコネクタと組み合わされて使用されるソケットコネクタのソケットハウジングであって、
前記ソケットコネクタは、前記ソケットコネクタと前記ベースコネクタとが組み合わされた組み合わせ状態において前記ベースハウジングと組み合わせられる前記ソケットハウジングと、前記組み合わせ状態において前記ベースコンタクトと電気的に接続される複数のソケットコンタクトと、複数の前記ソケットコンタクトにそれぞれ接続される複数のケーブルと、を備え、
前記ソケットハウジングは、前記ケーブルが接続された前記ソケットコンタクトが配置されるソケットコンタクト配置部を備え、
前記ソケットコンタクト配置部は、前記ケーブルが接続された前記ソケットコンタクトが前記ソケットコンタクト配置部の正常位置に配置しているか否かを視認するための視認用窓を備える、
ソケットコネクタのソケットハウジング。
【請求項２】
前記ソケットコンタクトから前記ケーブルへ向かう方向を第５方向という場合に、
前記ケーブルが接続された前記ソケットコンタクトが前記ソケットコンタクト配置部の正常位置に配置している状態において、前記ソケットコンタクトにおける前記第５方向の側の端部は、前記視認用窓に配置される、
請求項１に記載のソケットコネクタのソケットハウジング。
【請求項３】
前記組み合わせ状態において、前記ソケットコネクタから前記ベースコネクタに向かう方向を第１方向といい、前記第１方向とは反対向きの方向を第２方向といい、前記ケーブルから前記ソケットコンタクトへ向かう方向を第４方向といい、前記ソケットコンタクトから前記ケーブルへ向かう方向を第５方向といい、前記第１方向及び前記第４方向に直交する方向を第３方向という場合に、
前記視認用窓は、前記第１方向に複数配列しており、
前記第１方向に隣接する前記視認用窓は、前記第３方向にずれて配置している、
請求項１又は２に記載のソケットコネクタのソケットハウジング。
【請求項４】
前記第３方向に隣接する前記視認用窓は、前記第４方向にずれて配置している、
請求項３に記載のソケットコネクタのソケットハウジング。
【請求項５】
前記第３方向に隣接する前記視認用窓は、前記第１方向に視たときに、重ならないように配置している、
請求項３又は４に記載のソケットコネクタのソケットハウジング。
【請求項６】
ベースハウジング及びベースコンタクトを備えるベースコネクタと組み合わされて使用されるソケットコネクタのソケットハウジングであって、
前記ソケットコネクタは、前記ソケットコネクタと前記ベースコネクタとが組み合わされた組み合わせ状態において前記ベースハウジングと組み合わせられる前記ソケットハウジングと、前記組み合わせ状態において前記ベースコンタクトと電気的に接続される複数のソケットコンタクトと、複数の前記ソケットコンタクトにそれぞれ接続される複数のケーブルと、を備え、
前記組み合わせ状態において、前記ソケットコネクタから前記ベースコネクタに向かう方向を第１方向といい、前記第１方向とは反対向きの方向を第２方向といい、前記ケーブルから前記ソケットコンタクトへ向かう方向を第４方向といい、前記ソケットコンタクトから前記ケーブルへ向かう方向を第５方向といい、前記第１方向及び前記第４方向に直交する方向を第３方向という場合に、
前記ソケットコネクタにおいて、前記ケーブルが接続された前記ソケットコンタクトが前記第３方向に配列して、ソケットコンタクト群を形成しており、
前記ソケットコンタクト群は、前記第１方向に複数列配列しており、
前記第１方向に隣接する前記ソケットコンタクト群は、前記第３方向にずれて配置しており、
前記第３方向に隣接する前記ソケットコンタクトは、前記第４方向にずれて配置している、
ソケットコネクタのソケットハウジング。
【請求項７】
前記第１方向に隣接する前記ソケットコンタクト群における各前記ソケットコンタクトは、前記第１方向に視たときに、重ならないように配置している、
請求項６に記載のソケットコネクタのソケットハウジング。
【請求項８】
請求項６に記載のソケットコネクタと組み合わされて使用されるベースコネクタのベースハウジングであって、
前記ベースコネクタにおいて、前記ベースコンタクトが前記第３方向に配列して、ベースコンタクト群を形成しており、
前記ベースコンタクト群は、前記第１方向に複数列配列しており、
前記第１方向に隣接する前記ベースコンタクト群は、前記第３方向にずれて配置しており、
前記第３方向に隣接する前記ベースコンタクトは、前記第４方向にずれて配置している、
ベースコネクタのベースハウジング。
【請求項９】
請求項７に記載のソケットコネクタと組み合わされて使用される、請求項８に記載のベースコネクタのベースハウジングであって、
前記第１方向に隣接する前記ベースコンタクト群における各前記ベースコンタクトは、前記第１方向に視たときに、重ならないように配置している、
ベースコネクタのベースハウジング。
【発明の詳細な説明】
【技術分野】
【０００１】
本発明は、ソケットコネクタのソケットハウジング、及びソケットコネクタと組み合わされて使用されるベースコネクタのベースハウジングに関する。
【背景技術】
【０００２】
ソケットコネクタは、ソケットハウジングと、複数のソケットコンタクトと、複数のソケットコンタクトにそれぞれ接続される複数のケーブルと、を備えている。ソケットコネクタの製造時においては、ソケットコンタクトとケーブルとを予め接続させてアセンブリを形成しておき、ソケットコンタクトとケーブルとのアセンブリを、ソケットハウジングのソケットコンタクト配置部に配置して、ソケットコネクタを製造する。
【０００３】
しかし、製造時において、ソケットコンタクトがソケットコンタクト配置部に十分に挿入されず（半挿入、不完全挿入）、ソケットコンタクトが正常位置に配置されない場合（製造不具合）がある。この場合、ソケットコネクタとベースコネクタとの組み合わせ状態において、ソケットコンタクトはベースコンタクトに完全には接触しない。そのため、コネクタの機能を発揮できないことがある。
例えば、下記特許文献１に記載の技術においては、ソケットコンタクトとケーブルとのアセンブリがソケットコンタクト配置部にある程度挿入されると、ソケットコンタクトはソケットハウジングに隠れて見えなくなる。そのため、ソケットコンタクトが正常位置に配置されていない状態（半挿入）を検出することは、困難である。
【先行技術文献】
【特許文献】
【０００４】
【特許文献１】特開２００５−１９７１８４号公報
【発明の概要】
【発明が解決しようとする課題】
【０００５】
従って、本発明は、ソケットコンタクトがソケットハウジングの正常位置に配置されていない状態を、簡便に検出することができるソケットハウジングを提供することを目的とする。
また、本発明は、ベースコネクタのベースハウジングを提供することを目的とする。
【課題を解決するための手段】
【０００６】
本発明は、ベースハウジング及びベースコンタクトを備えるベースコネクタと組み合わされて使用されるソケットコネクタのソケットハウジングであって、前記ソケットコネクタは、前記ソケットコネクタと前記ベースコネクタとが組み合わされた組み合わせ状態において前記ベースハウジングと組み合わせられる前記ソケットハウジングと、前記組み合わせ状態において前記ベースコンタクトと電気的に接続される複数のソケットコンタクトと、複数の前記ソケットコンタクトにそれぞれ接続される複数のケーブルと、を備え、前記ソケットハウジングは、前記ケーブルが接続された前記ソケットコンタクトが配置されるソケットコンタクト配置部を備え、前記ソケットコンタクト配置部は、前記ケーブルが接続された前記ソケットコンタクトが前記ソケットコンタクト配置部の正常位置に配置しているか否かを視認するための視認用窓を備える、ソケットコネクタのソケットハウジングに関する。
【０００７】
また、前記ソケットコンタクトから前記ケーブルへ向かう方向を第５方向という場合に、前記ケーブルが接続された前記ソケットコンタクトが前記ソケットコンタクト配置部の正常位置に配置している状態において、前記ソケットコンタクトにおける前記第５方向の側の端部は、前記視認用窓に配置されることが好ましい。
【０００８】
また、前記組み合わせ状態において、前記ソケットコネクタから前記ベースコネクタに向かう方向を第１方向といい、前記第１方向とは反対向きの方向を第２方向といい、前記ケーブルから前記ソケットコンタクトへ向かう方向を第４方向といい、前記ソケットコンタクトから前記ケーブルへ向かう方向を第５方向といい、前記第１方向及び前記第４方向に直交する方向を第３方向という場合に、前記視認用窓は、前記第１方向に複数配列しており、前記第１方向に隣接する前記視認用窓は、前記第３方向にずれて配置していることが好ましい。
【０００９】
また、前記第３方向に隣接する前記視認用窓は、前記第４方向にずれて配置していることが好ましい。
【００１０】
また、前記第３方向に隣接する前記視認用窓は、前記第１方向に視たときに、重ならないように配置していることが好ましい。
【００１１】
本発明は、ベースハウジング及びベースコンタクトを備えるベースコネクタと組み合わされて使用されるソケットコネクタのソケットハウジングであって、前記ソケットコネクタは、前記ソケットコネクタと前記ベースコネクタとが組み合わされた組み合わせ状態において前記ベースハウジングと組み合わせられる前記ソケットハウジングと、前記組み合わせ状態において前記ベースコンタクトと電気的に接続される複数のソケットコンタクトと、複数の前記ソケットコンタクトにそれぞれ接続される複数のケーブルと、を備え、前記組み合わせ状態において、前記ソケットコネクタから前記ベースコネクタに向かう方向を第１方向といい、前記第１方向とは反対向きの方向を第２方向といい、前記ケーブルから前記ソケットコンタクトへ向かう方向を第４方向といい、前記ソケットコンタクトから前記ケーブルへ向かう方向を第５方向といい、前記第１方向及び前記第４方向に直交する方向を第３方向という場合に、前記ソケットコネクタにおいて、前記ケーブルが接続された前記ソケットコンタクトが前記第３方向に配列して、ソケットコンタクト群を形成しており、前記ソケットコンタクト群は、前記第１方向に複数列配列しており、前記第１方向に隣接する前記ソケットコンタクト群は、前記第３方向にずれて配置しており、前記第３方向に隣接する前記ソケットコンタクトは、前記第４方向にずれて配置している、ソケットコネクタのソケットハウジングに関する。
【００１２】
また、前記第１方向に隣接する前記ソケットコンタクト群における各前記ソケットコンタクトは、前記第１方向に視たときに、重ならないように配置していることが好ましい。
【００１３】
本発明は、前記ソケットコネクタと組み合わされて使用されるベースコネクタのベースハウジングであって、前記ベースコネクタにおいて、前記ベースコンタクトが前記第３方向に配列して、ベースコンタクト群を形成しており、前記ベースコンタクト群は、前記第１方向に複数列配列しており、前記第１方向に隣接する前記ベースコンタクト群は、前記第３方向にずれて配置しており、前記第３方向に隣接する前記ベースコンタクトは、前記第４方向にずれて配置している、ベースコネクタのベースハウジングに関する。
【００１４】
また、前記ソケットコネクタと組み合わされて使用される、前記ベースコネクタのベースハウジングであって、前記第１方向に隣接する前記ベースコンタクト群における各前記ベースコンタクトは、前記第１方向に視たときに、重ならないように配置していることが好ましい。
【発明の効果】
【００１５】
本発明によれば、ソケットコンタクトがソケットハウジングの正常位置に配置されていない状態を、簡便に検出することができるソケットハウジングを提供することができる。
【図面の簡単な説明】
【００１６】
【図１】本発明の第１実施形態に係るソケットハウジング１０を有するソケットコネクタ２と、ベースハウジング６０を有するベースコネクタ３とを組み合わせた状態で、ソケットコネクタ２の側から視た斜視図である。
【図２】図１に示す状態をベースコネクタ３の側から視た斜視図である。
【図３】ソケットコンタクト５０とベースコンタクト８０とが接続された状態を示す斜視図である。
【図４】ベースコネクタ３を上方から視た斜視図である。
【図５】ベースコネクタ３の平面図である。
【図６】ベースコネクタ３を下方から視た斜視図である。
【図７】ベースコネクタ３の側面図である。
【図８】ベースコンタクト８０の斜視図である。
【図９】ソケットコネクタ２を上方から視た斜視図である。
【図１０】ソケットコネクタ２の平面図である。
【図１１】ソケットコネクタ２の背面図である。
【図１２】ソケットコネクタ２を下方から視た斜視図である。
【図１３】ソケットコネクタ２の底面図である。
【図１４】上段のソケットコンタクト５０ａを通るようにソケットコネクタ２を切断した縦断面図である。
【図１５】下段のソケットコンタクト５０ｂを通るようにソケットコネクタ２を切断した縦断面図である。
【図１６】仮想的にケーブル５を省略して示すソケットコネクタ２の部分斜視図である。
【図１７】ソケットコンタクト５０を上方から視た斜視図である。
【図１８】ソケットコンタクト５０を下方から視た斜視図である。
【図１９】本発明の第２実施形態に係るソケットコネクタ２Ａとベースコネクタ３Ａとを組み合わせた状態で、ソケットコネクタ２Ａの側から視た斜視図である（図１対応図）。
【図２０】図１９に示す状態をベースコネクタ３Ａの側から視た斜視図である（図２対応図）。
【図２１】ベースコネクタ３Ａを上方から視た斜視図である（図４対応図）。
【図２２】ベースコネクタ３Ａの側面図である（図７対応図）。
【図２３】ソケットコネクタ２Ａの平面図である（図１０対応図）。
【図２４】ソケットコネクタ２Ａの背面図である（図１１対応図）。
【図２５】ソケットコネクタ２Ａを下方から視た斜視図である（図１２対応図）。
【図２６】本発明の第３実施形態に係るソケットコネクタ２Ａとベースコネクタ３Ａとを組み合わせた状態で、ソケットコネクタ２Ａの側から視た斜視図である（図１９対応図）。
【図２７】図２６に示す状態をベースコネクタ３Ａの側から視た斜視図である（図２０対応図）。
【図２８】ベースコネクタ３Ａを上方から視た斜視図である（図２１対応図）。
【図２９】ベースコネクタ３Ａの側面図である（図２２対応図）。
【図３０】ソケットコネクタ２Ａの平面図である（図２３対応図）。
【図３１】ソケットコネクタ２Ａの背面図である（図２４対応図）。
【図３２】ソケットコネクタ２Ａを下方から視た斜視図である（図２５対応図）。
【図３３】第３実施形態における補強タブ７の斜視図である。
【発明を実施するための形態】
【００１７】
〔第１実施形態〕
以下に、本発明の第１実施形態のソケットハウジングを備えるソケットコネクタ及びベースハウジングを備えるベースコネクタについて、図面を参照しながら説明する。図１は、本発明の第１実施形態に係るソケットハウジング１０を有するソケットコネクタ２と、ベースハウジング６０を有するベースコネクタ３とを組み合わせた状態で、ソケットコネクタ２の側から視た斜視図である。図２は、図１に示す状態をベースコネクタ３の側から視た斜視図である。図３は、ソケットコンタクト５０とベースコンタクト８０とが接続された状態を示す斜視図である。図４は、ベースコネクタ３を上方から視た斜視図である。図５は、ベースコネクタ３の平面図である。図６は、ベースコネクタ３を下方から視た斜視図である。図７は、ベースコネクタ３の側面図である。
【００１８】
図８は、ベースコンタクト８０の斜視図である。図９は、ソケットコネクタ２を上方から視た斜視図である。図１０は、ソケットコネクタ２の平面図である。図１１は、ソケットコネクタ２の背面図である。図１２は、ソケットコネクタ２を下方から視た斜視図である。図１３は、ソケットコネクタ２の底面図である。図１４は、上段のソケットコンタクト５０ａを通るようにソケットコネクタ２を切断した縦断面図である。図１５は、下段のソケットコンタクト５０ｂを通るようにソケットコネクタ２を切断した縦断面図である。図１６は、仮想的にケーブル５を省略して示すソケットコネクタ２の部分斜視図である。図１７は、ソケットコンタクト５０を上方から視た斜視図である。図１８は、ソケットコンタクト５０を下方から視た斜視図である。
【００１９】
図１〜図８に示すように、第１実施形態に係るベースコネクタ３は、ベースハウジング６０とベースコンタクト８０とを備える。ベースコネクタ３は、不図示の回路基板に固定されている。
図１〜図３、図９〜図１８に示すように、第１実施形態に係るソケットコネクタ２は、ベースハウジング６０と組み合わせられる（嵌合又は接続される）ソケットハウジング１０と、組み合わせ状態においてベースコンタクト８０と電気的に接続される複数のソケットコンタクト５０と、複数のソケットコンタクト５０にそれぞれ接続される複数のケーブル５と、を備える。
【００２０】
なお、ソケットコネクタ２とベースコネクタ３とが組み合わされた図１及び図２に示す状態を「組み合わせ状態」という。また、前記組み合わせ状態において、ソケットコネクタ２からベースコネクタ３に向かう方向を「第１方向Ｄ１」といい、第１方向Ｄ１とは反対向きの方向を「第２方向Ｄ２」といい、ケーブル５からソケットコンタクト５０へ向かう方向を「第４方向Ｄ４」といい、第４方向Ｄ４とは反対向きの方向を「第５方向Ｄ５」といい、第１方向Ｄ１及び第４方向Ｄ４に直交する方向を「第３方向Ｄ３」という。
【００２１】
次に、ベースコネクタ３について詳細に説明する。ベースコネクタ３は、不図示の回路基板に固定されるコネクタである。図１〜図８に示すように、ベースコネクタ３は、合成樹脂からなるベースハウジング６０と、複数のベースコンタクト８０とを備えている。ベースハウジング６０は、平面視で（第１方向Ｄ１に視た場合に）略矩形状のベースハウジング基部６１と、壁部６２，６３と、を備えている。壁部６２，６３は、略矩形状のベースハウジング基部６１の４辺のうちの３辺から立設しており、平面視で「コ」の字状である。
【００２２】
ベースハウジング基部６１は、ベースハウジング基部上段部６１ａとベースハウジング基部下段部６１ｂとを有する。ベースハウジング基部上段部６１ａ及びベースハウジング基部下段部６１ｂは、第３方向Ｄ３に平行に延びている。ベースハウジング基部上段部６１ａは、ベースハウジング基部下段部６１ｂに対して第４方向Ｄ４の側に配置している。ベースハウジング基部上段部６１ａの上面は、ベースハウジング基部下段部６１ｂの上面に対して上方にずれて段違いになっている。
【００２３】
前記「コ」の字状の壁部は、第３方向Ｄ３に延びるベースハウジング背壁部６２と、第３方向Ｄ３に離間し且つ第４方向Ｄ４に延びる一対のベースハウジング側壁部６３，６３と、を備える。「コ」の字状の壁部６２，６３は、前側（第５方向Ｄ５の側）に開放している。
ベースハウジング基部６１及び「コ」の字状の壁部６２，６３によって、収容空間が形成される。収容空間は、第２方向Ｄ２の側及び第５方向Ｄ５の側が開放している。組み合わせ状態において、収容空間には、ソケットハウジング１０における第１方向Ｄ１の側の大部分が収容される。
【００２４】
ベースハウジング側壁部６３における第３方向Ｄ３の外側には、ロック係合部６４が設けられている。ロック係合部６４は、第３方向Ｄ３の内側に向けて凹んだ凹部からなる。ロック係合部６４は、組み合わせ状態においてソケットコネクタ２のロック部１４（詳細は後述）と係合する。
【００２５】
ベースハウジング側壁部６３における第３方向Ｄ３の内側には、リブ係合部６５が設けられている。リブ係合部６５は、第２方向Ｄ２に直線状に延びており、第３方向Ｄ３の内側及び第２方向Ｄ２の側に開放している。リブ係合部６５は、組み合わせ状態においてソケットコネクタ２の抜け防止リブ１５（詳細は後述）と係合する。
【００２６】
図４及び図５に示すように、ベースコンタクト８０が第３方向Ｄ３に配列して、ベースコンタクト群８１ａ，８１ｂを形成している。ベースコンタクト群８１ａを形成するベースコンタクト８０及びベースコンタクト群８１ｂを形成するベースコンタクト８０を、それぞれベースコンタクト８０ａ及びベースコンタクト８０ｂともいう。ベースコンタクト群８１ａ，８１ｂは、第１方向Ｄ１に複数列配列している。第１方向Ｄ１に隣接するベースコンタクト群８１ａ，８１ｂは、第３方向Ｄ３にずれて配置している。第１方向Ｄ１に隣接するベースコンタクト群８１ａ，８１ｂにおける各ベースコンタクト８０ａ，８０ｂは、第１方向Ｄ１に視たときに、重ならないように配置している。第３方向Ｄ３に隣接するベースコンタクト８０ａ，８０ｂは、第４方向Ｄ４にずれて配置している。
つまり、複数のベースコンタクト８０は、第４方向Ｄ４に視たときに千鳥状に配列しており、また、第１方向Ｄ１に視たときに千鳥状に配列している。
【００２７】
ベースハウジング基部上段部６１ａ及びベースハウジング基部下段部６１ｂそれぞれにおいて、コンタクト間リブ６６は、第３方向Ｄ３に隣接するベースコンタクト８０の間に配置される。コンタクト間リブ６６は、ベースハウジング背壁部６２に連続しており、第５方向Ｄ５に延出している。
こじり防止リブ６７は、コンタクト間リブ６６と第３方向Ｄ３に並列しており、コンタクト間リブ６６よりも第３方向Ｄ３の外側に配置している。こじり防止リブ６７は、ベースコンタクト８０とほぼ同じ大きさであるか又はベースコンタクト８０よりも大きい大きさを有しており、これにより、ソケットコネクタ２とベースコネクタ３とのこじり（噛み込み）を抑制している。
【００２８】
図８に示すように、ベースコンタクト８０は、導電性の金属板にプレス成形加工（例えば、打ち抜き加工、折り曲げ加工）などが施されて、所定形状の一体物として構成される。ベースコンタクト８０は、第２方向Ｄ２及び第５方向Ｄ５に延びるソケット側接続部８２と、ベースハウジング背壁部６２から第４方向Ｄ４の側に突出する基板側接続部８３と、を備える。
【００２９】
ソケット側接続部８２の第５方向Ｄ５の側の前側端部８２ａは、板状部材が折り曲げられて形成されており、丸みを帯びている。ソケット側接続部８２の第２方向Ｄ２の側の上側端部８２ｂは、つぶし加工を施されており、丸みを帯びている。
ソケット側接続部８２は、組み合わせ状態において、ソケットコネクタ２のソケットコンタクト５０と電気的に接続する。基板側接続部８３は、不図示の回路基板における配線などに電気的に接続されると共に、半田付けなどにより回路基板に機械的に固定される。
【００３０】
次に、ソケットコネクタ２について詳細に説明する。図１〜図３及び図９〜図１８に示すように、ソケットコネクタ２は、ソケットハウジング１０と、ソケットコンタクト５０と、ケーブル５とを備える。
ソケットハウジング１０は、合成樹脂からなり、全体視で略直方体形状を有している。ソケットハウジング１０は、ケーブル５が接続されたソケットコンタクト５０が配置されるソケットコンタクト配置部２０を備える。ソケットコンタクト配置部２０は、第１方向Ｄ１に複数（２列）配列している。上段及び下段のソケットコンタクト配置部２０を、それぞれソケットコンタクト配置部２０ａ及びソケットコンタクト配置部２０ｂともいう。
【００３１】
ソケットコンタクト配置部２０ａ及びソケットコンタクト配置部２０ｂに配置されたソケットコンタクト５０を、それぞれソケットコンタクト５０ａ及びソケットコンタクト５０ｂともいう。ソケットコンタクト５０ａ及びソケットコンタクト５０ｂに接続されたケーブル５を、それぞれケーブル５ａ及びケーブル５ｂともいう。
【００３２】
第１方向Ｄ１に隣接するソケットコンタクト配置部２０ａ，２０ｂは、第３方向Ｄ３にずれて配置している。第３方向Ｄ３に隣接するソケットコンタクト配置部２０ａ，２０ｂは、第４方向Ｄ４にずれて配置している。
【００３３】
ソケットコンタクト配置部２０は、視認用窓２５ａ，２５ｂ（図１０，図１１参照）と、ランス係合部１２（図１４，図１５参照）を備える。視認用窓２５ａ，２５ｂは、それぞれ、ケーブル５ａ，５ｂが接続されたソケットコンタクト５０ａ，５０ｂがソケットコンタクト配置部２０ａ，２０ｂの正常位置に配置しているか否かを視認するための窓（開孔）である。上段の視認用窓２５ａよりも第５方向Ｄ５の側には、視認用窓２５ａよりも大きく開口した上段開放部２４が設けられている。
【００３４】
図１０に示すように、ケーブル５が接続されたソケットコンタクト５０がソケットコンタクト配置部２０の正常位置に配置している状態において、ソケットコンタクト５０における第５方向Ｄ５の側の端部は、視認用窓２５に配置される。
図１０において最も左側で上段のケーブル５ａ及びソケットコンタクト５０ａは、ソケットコンタクト配置部２０ａに半挿入状態となっており、正常位置には配置していない。そのため、ソケットコンタクト５０における第５方向Ｄ５の側の端部は、視認用窓２５ａから外れている（上段開放部２４に配置している）。
【００３５】
また、図１０において最も右側で下段のケーブル５ｂ及びソケットコンタクト５０ｂは、ソケットコンタクト配置部２０ｂに半挿入状態となっており、正常位置には配置していない。そのため、ソケットコンタクト５０における第５方向Ｄ５の側の端部は、視認用窓２５ａから外れている（ソケットハウジング１０における第５方向Ｄ５の側の端面よりも第５方向Ｄ５の側に配置している）。
【００３６】
ケーブル５ａ，５ｂが接続されたソケットコンタクト５０ａ，５０ｂは、第３方向Ｄ３に配列して、ソケットコンタクト群５１ａ，５１ｂを形成している。ソケットコンタクト群５１ａ，５１ｂは、第１方向Ｄ１に複数列配列している。第１方向Ｄ１に隣接するソケットコンタクト群５１ａ，５１ｂは、第３方向Ｄ３にずれて配置している。
【００３７】
第１方向Ｄ１に隣接するソケットコンタクト群５１ａ，５１ｂにおける各ソケットコンタクト５０ａ，５０ｂは、第１方向Ｄ１に視たときに、重ならないように配置している。第３方向Ｄ３に隣接するソケットコンタクト５０ａ，５０ｂは、第４方向Ｄ４にずれて配置している。
つまり、図１０及び図１１に示すように、複数のソケットコンタクト５０は、第４方向Ｄ４に視たときに千鳥状に配列しており、また、第１方向Ｄ１に視たときに千鳥状に配列している。
【００３８】
視認用窓２５ａ，２５ｂは、第１方向Ｄ１に複数列配列している。第１方向Ｄ１に隣接する視認用窓２５ａ，２５ｂは、第３方向Ｄ３にずれて配置している。第３方向Ｄ３に隣接する視認用窓２５ａ，２５ｂは、第４方向Ｄ４にずれている。第３方向Ｄ３に隣接する視認用窓２５ａ，２５ｂは、第１方向Ｄ１に視たときに、重ならないように配置している。
つまり、図１０及び図１１に示すように、複数の視認用窓２５は、第４方向Ｄ４に視たときに千鳥状に配列しており、また、第１方向Ｄ１に視たときに千鳥状に配列している。
【００３９】
図１４，図１５に示すように、ランス係合部１２は、ソケットコンタクト配置部２０の内部に設けられ、第１方向Ｄ１及び第４方向Ｄ４に突出している。ランス係合部１２は、ソケットコンタクト配置部２０に配置されたソケットコンタクト５０のランス５４（詳細は後述）と係合し、第５方向Ｄ５へのソケットコンタクト５０の抜けを抑制する。
【００４０】
図１２，図１３に示すように、ソケットハウジング１０における第３方向Ｄ３の外側それぞれには、ロック部１４，１４が設けられている。ロック部１４は、組み合わせ状態においてベースコネクタ３のロック係合部６４に係合する。
ソケットハウジング１０における第３方向Ｄ３の外側には、それぞれ抜け防止リブ１５が設けられている。抜け防止リブ１５は、第１方向Ｄ１に延びており、第３方向Ｄ３の外側に突出している。抜け防止リブ１５は、組み合わせ状態においてベースコネクタ３のリブ係合部６５に係合する。
【００４１】
ソケットハウジング１０のソケットハウジング基部上段部１１ａ及びソケットハウジング基部下段部１１ｂにおける第１方向Ｄ１の側であって第４方向Ｄ４の側には、リブ逃げ部１６及びリブ逃げ部１７が設けられている。リブ逃げ部１６は、組み合わせ状態においてベースコネクタ３のコンタクト間リブ６６に対応する位置に設けられており、コンタクト間リブ６６の当たり逃げとして機能する。リブ逃げ部１７は、組み合わせ状態においてベースコネクタ３のこじり防止リブ６７に対応する位置に設けられており、こじり防止リブ６７の当たり逃げとして機能する。
【００４２】
次に、ソケットコンタクト５０について詳述する。図１７及び図１８に示すように、ソケットコンタクト５０は、ソケットコンタクト基部５２と、一対のソケットコンタクト挟持片５３と、ランス５４と、を備える。ソケットコンタクト基部５２は、ケーブル５を締結する。一対のソケットコンタクト挟持片５３は、第３方向Ｄ３に対向しており、図３に示すように、組み合わせ状態においてベースコネクタ３のベースコンタクト８０のソケット側接続部８２を挟持して、電気的及び機械的に接続される。ランス５４は、第２方向Ｄ２に延出している。
【００４３】
図１８に示すように、ソケットコンタクト挟持片５３の第４方向Ｄ４の側の前側端部５３ａは、第４方向Ｄ４に拡がるように丸みを帯びている。ソケットコンタクト挟持片５３の第１方向Ｄ１の側の下側端部５３ｂは、つぶし加工を施されており、丸みを帯びている。
【００４４】
前述の構成を有するソケットコネクタ２とベースコネクタ３とは、次のように組み合わされ、図１、図２に示すソケット−ベースコネクタ対１が形成される。
ベースコネクタ３を下に配置すると共にソケットコネクタ２を上に配置した状態において、ソケットコネクタ２を第１方向Ｄ１へ移動させる。ベースコンタクト８０にソケットコンタクト５０を接続させると共に、コンタクト間リブ６６をリブ逃げ部１６に挿入させ、こじり防止リブ６７をリブ逃げ部１７に挿入させ、ロック係合部６４にロック部１４を係合させ、リブ係合部６５に抜け防止リブ１５を係合させる。
【００４５】
これにより、ソケット−ベースコネクタ対１が形成され、組み合わせ状態が保持される。例えば、ロック部１４とロック係合部６４との係合により、第２方向Ｄ２へのソケットコネクタ２の抜けが防止される。抜け防止リブ１５とリブ係合部６５との係合により、第５方向Ｄ５へのソケットコネクタ２の抜けが防止される。
【００４６】
以上の構成を有する第１実施形態のソケットコネクタ２によれば、以下の効果が奏される。
第１実施形態のソケットコネクタ２においては、ソケットコンタクト配置部２０は、ケーブル５が接続されたソケットコンタクト５０がソケットコンタクト配置部２０の正常位置に配置しているか否かを視認するための視認用窓２５ａ，２５ｂを備える。そのため、視認用窓２５ａ，２５ｂを利用して、ソケットコンタクト５０がソケットコンタクト配置部２０の正常位置に配置しているか否かを目視にて、簡便に検出することができる。
【００４７】
また、第１実施形態のソケットコネクタ２においては、ケーブル５が接続されたソケットコンタクト５０がソケットコンタクト配置部２０の正常位置に配置している状態において、ソケットコンタクト５０における第５方向Ｄ５の側の端部は、視認用窓２５に配置される。そのため、目視によって識別が容易なソケットコンタクト５０における第５方向Ｄ５の側の端部を利用して、ソケットコンタクト５０がソケットコンタクト配置部２０の正常位置に配置しているか否かを目視にて、容易に検出することができる。
【００４８】
また、第１実施形態のソケットコネクタ２においては、視認用窓２５ａ，２５ｂは、第１方向Ｄ１に複数配列している。第１方向Ｄ１に隣接する視認用窓２５ａ，２５ｂは、第３方向Ｄ３にずれて配置している。そのため、上段の視認用窓２５ａ及び下段の視認用窓２５ｂを目視で同時に確認することが容易である。
【００４９】
また、第１実施形態のソケットコネクタ２においては、第３方向Ｄ３に隣接する視認用窓２５ａ，２５ｂは、第４方向Ｄ４にずれて配置している。そのため、前記効果を更に向上させることができる。
【００５０】
また、第１実施形態のソケットコネクタ２においては、ソケットコンタクト群５１ａ，５１ｂは、第１方向Ｄ１に複数列配列している。第１方向Ｄ１に隣接するソケットコンタクト群５１ａ，５１ｂは、第３方向Ｄ３にずれて配置している。第３方向Ｄ３に隣接するソケットコンタクト５０ａ，５０ｂは、第４方向Ｄ４にずれて配置している。そのため、隣接するソケットコンタクト５０における沿面距離を多く確保することができる。
【００５１】
〔第２実施形態〕
次に、本発明の第２実施形態のソケットハウジングを備えるソケットコネクタ及びベースハウジングを備えるベースコネクタについて、図面を参照しながら説明する。図１９は、本発明の第２実施形態に係るソケットコネクタ２Ａとベースコネクタ３Ａとを組み合わせた状態で、ソケットコネクタ２Ａの側から視た斜視図である（図１対応図）。図２０は、図１９に示す状態をベースコネクタ３Ａの側から視た斜視図である（図２対応図）。図２１は、ベースコネクタ３Ａを上方から視た斜視図である（図４対応図）。図２２は、ベースコネクタ３Ａの側面図である（図７対応図）。図２３は、ソケットコネクタ２Ａの平面図である（図１０対応図）。図２４は、ソケットコネクタ２Ａの背面図である（図１１対応図）。図２５は、ソケットコネクタ２Ａを下方から視た斜視図である（図１２対応図）。
【００５２】
第２実施形態は、第１実施形態と比べて主に、ベースコネクタ３Ａに対するソケットコネクタ２Ａの嵌合方向が異なる。具体的には、第１実施形態においては、ベースコネクタ３に対して、ソケットコネクタ２は第１方向Ｄ１に移動して嵌合する。一方、第２実施形態においては、ベースコネクタ３Ａに対して、ソケットコネクタ２Ａは第４方向Ｄ４に移動して嵌合する。第２実施形態は、第１実施形態と比べて嵌合方向の相違に起因して、異なる構成を有する。しかし、第２実施形態について特に説明しない点については、第１実施形態についての説明が適宜援用される。第２実施形態においても、第１実施形態と同様の効果を奏する。
【００５３】
第２実施形態においては、ベースコネクタ３Ａは、ベースハウジング天壁部６８を有する。ベースハウジング天壁部６８は、「コ」の字状の壁部を形成するベースハウジング背壁部６２及び一対のベースハウジング側壁部６３，６３の上端部を覆うように、設けられる。つまり、ベースハウジング基部６１、「コ」の字状の壁部６２，６３、及びベースハウジング天壁部６８によって、収容空間が形成される。収容空間は、第５方向Ｄ５の側が開放している。組み合わせ状態において、収容空間には、ソケットハウジング１０Ａにおける第４方向Ｄ４の側の大部分が収容される。
ソケットコネクタ２Ａのロック部１４Ａの構成、ベースコネクタ３Ａのロック係合部６４Ａの構成は、ベースコネクタ３Ａに対するソケットコネクタ２Ａの嵌合方向に対応した構成となっている。
【００５４】
図２１に示すように、ベースハウジング６０のベースハウジング側壁部６３は、補強タブ７の基端側の被保持片部７２（後述）を挟持して保持する固定部材保持部６９を備える。固定部材保持部６９は、ベースハウジング側壁部６３の下部から第２方向Ｄ２に延びるように凹んでいる。
【００５５】
補強タブ７は、金属材料からなる矩形の板状部材から形成され、補強金具などとも呼ばれる。補強タブ７は、固定片部７１と、被保持片部７２とを備え、略Ｌ字形状を有する。固定片部７１は、ベースコネクタ３Ａを回路基板の実装面（不図示）に固定する際に半田付けにより結合される。被保持片部７２は、ベースハウジング６０の固定部材保持部６９に挟持されて保持される。これにより、補強タブ７は、ベースハウジング６０に連結されると共に、ベースハウジング６０を回路基板の実装面に固定する。
【００５６】
ロック部１４Ａは、第４方向Ｄ４に延びるフック部３１と、第５方向Ｄ５に延びる力点部３２と、フック部３１と力点部３２の間に位置し且つソケットハウジング１０の側壁に連接される支点部３３と、を備える。ロック部１４Ａは、支点部３３を中心にフック部３１及び力点部３２が回動可能に構成されている。力点部３２を第３方向Ｄ３の内側に押圧すると、支点部３３を中心に、フック部３１は第３方向Ｄ３の外側に開く。フック部３１の第４方向Ｄ４の先端部は、第３方向Ｄ３の内側に突出する係合突起を形成している。
【００５７】
ベースコンタクト８０及びソケットコンタクト５０は、嵌合方向が異なる第１実施形態と第２実施形態とで、共通することができる。具体的には、前述した通り、ベースコンタクト８０においては、ソケット側接続部８２の前側端部８２ａ及び上側端部８２ｂは、いずれも丸みを帯びている。また、ソケットコンタクト５０においては、ソケットコンタクト挟持片５３の前側端部５３ａ及び下側端部５３ｂは、丸みを帯びている。そのため、このベースコンタクト８０及びソケットコンタクト５０は、第１方向Ｄ１に嵌合させる第１実施形態及び第４方向Ｄ４に嵌合させる第４実施形態のいずれにおいても、適用することができる。
【００５８】
なお、ベースコンタクト８０及びソケットコンタクト５０の機能に大きな影響を与えない範囲で、第１実施形態用のベースコンタクト８０及びソケットコンタクト５０の構成と、第２実施形態用のベースコンタクト８０及びソケットコンタクト５０の構成とを、異ならせることができる。
【００５９】
〔第３実施形態〕
次に、本発明の第３実施形態のソケットハウジングを備えるソケットコネクタ及びベースハウジングを備えるベースコネクタについて、図面を参照しながら説明する。図２６は、本発明の第３実施形態に係るソケットコネクタ２Ａとベースコネクタ３Ａとを組み合わせた状態で、ソケットコネクタ２Ａの側から視た斜視図である（図１９対応図）。図２７は、図２６に示す状態をベースコネクタ３Ａの側から視た斜視図である（図２０対応図）。図２８は、ベースコネクタ３Ａを上方から視た斜視図である（図２１対応図）。図２９は、ベースコネクタ３Ａの側面図である（図２２対応図）。図３０は、ソケットコネクタ２Ａの平面図である（図２３対応図）。図３１は、ソケットコネクタ２Ａの背面図である（図２４対応図）。図３２は、ソケットコネクタ２Ａを下方から視た斜視図である（図２５対応図）。図３３は、第３実施形態における補強タブ７の斜視図である。
【００６０】
第３実施形態は、第２実施形態と比べて主に、ベースコンタクト８０及びソケットコンタクト５０の個数が異なる。しかし、第３実施形態について特に説明しない点については、第２実施形態についての説明が適宜援用される。第３実施形態においても、第２実施形態と同様の効果を奏する。
【００６１】
第２実施形態においては、ベースコネクタ３Ａにおけるベースコンタクト８０は、及びソケットコネクタ２Ａにおけるソケットコンタクト５０は、それぞれ１６個である。一方、第３実施形態においては、ベースコネクタ３Ａにおけるベースコンタクト８０、及びソケットコネクタ２Ａにおけるソケットコンタクト５０は、それぞれ８個である。詳細には、第３実施形態は、第２実施形態における８個のベースコンタクト８０ａからなるベースコンタクト群８１ａ、並びに８個のソケットコンタクト５０ａからなるソケットコンタクト群５１ａ及びこれに連結されたケーブル５ａを備えていない。
【００６２】
第３実施形態においては、図２８に示すように、ベースハウジング６０のベースハウジング基部６１は、補強タブ７の基端側の被保持片部７２（後述）を挟持して保持する固定部材保持部６９を備える。固定部材保持部６９は、ベースハウジング基部６１の下部から第３方向Ｄ３の内側に延びるように凹んでいる。
【００６３】
図２８及び図３３に示すように、補強タブ７は、固定片部７１と、被保持片部７２とを備え、平板形状を有する。固定片部７１は、ベースコネクタ３Ａを回路基板の実装面（不図示）に固定する際に半田付けにより結合される。被保持片部７２は、ベースハウジング６０の固定部材保持部６９に挟持されて保持される。これにより、補強タブ７は、ベースハウジング６０に連結されると共に、ベースハウジング６０を回路基板の実装面に固定する。
【００６４】
第２実施形態の力点部３２と比べて、第３実施形態の力点部３２は、第３方向Ｄ３の外側に突出しており、押圧しやすい形状となっている。
【００６５】
以上、本発明のソケットハウジング及びベースハウジングの実施形態について説明したが、本発明は、前述した実施形態に制限されるものではなく、適宜変更が可能である。
例えば、前述の第１及び第２実施形態においては、ソケットコンタクト群は２列であり、ベースコンタクト群は２列であるが、これに制限されない。ソケットコンタクト群及びベースコンタクト群は、第３実施形態のように１列でもよく、又は３列以上であってもよい。
前記実施形態においては、ソケットコンタクト５０がソケットコンタクト配置部２０の正常位置に配置している状態において、ソケットコンタクト５０における第５方向Ｄ５の側の端部が視認用窓２５に配置されるように構成されているが、これに制限されない。ソケットコンタクト５０に関する他の要素が視認用窓２５に配置されるように構成することもできる。
【符号の説明】
【００６６】
２，２Ａ  ソケットコネクタ
３，３Ａ  ベースコネクタ
５，５ａ，５ｂ  ケーブル
１０  ソケットハウジング
２０，２０ａ，２０ｂ  ソケットコンタクト配置部
２５，２５ａ，２５ｂ  視認用窓
５０，５０ａ，５０ｂ  ソケットコンタクト
５１ａ，５１ｂ  ソケットコンタクト群
６０  ベースハウジング
８０，８０ａ，８０ｂ  ベースコンタクト
８１ａ，８１ｂ  ベースコンタクト群
Ｄ１  第１方向
Ｄ２  第２方向
Ｄ３  第３方向
Ｄ４  第４方向
Ｄ５  第５方向
【図１】
2014209437.tif 000003
【図２】
2014209437.tif 000004
【図３】
2014209437.tif 000005
【図４】
2014209437.tif 000006
【図５】
2014209437.tif 000007
【図６】
2014209437.tif 000008
【図７】
2014209437.tif 000009
【図８】
2014209437.tif 000010
【図９】
2014209437.tif 000011
【図１０】
2014209437.tif 000012
【図１１】
2014209437.tif 000013
【図１２】
2014209437.tif 000014
【図１３】
2014209437.tif 000015
【図１４】
2014209437.tif 000016
【図１５】
2014209437.tif 000017
【図１６】
2014209437.tif 000018
【図１７】
2014209437.tif 000019
【図１８】
2014209437.tif 000020
【図１９】
2014209437.tif 000021
【図２０】
2014209437.tif 000022
【図２１】
2014209437.tif 000023
【図２２】
2014209437.tif 000024
【図２３】
2014209437.tif 000025
【図２４】
2014209437.tif 000026
【図２５】
2014209437.tif 000027
【図２６】
2014209437.tif 000028
【図２７】
2014209437.tif 000029
【図２８】
2014209437.tif 000030
【図２９】
2014209437.tif 000031
【図３０】
2014209437.tif 000032
【図３１】
2014209437.tif 000033
【図３２】
2014209437.tif 000034
【図３３】
2014209437.tif 000035